(57)【要約】【課題】本発明は、第１の画像化装置により再生可能な解剖学的構造及び再生不能な構造が準三次元再生され得るＸ線画像化方法の提供を目的とする。【解決手段】第１の画像化装置で二次元Ｘ線画像系列が形成、記憶され、被検査対象物が異なる見方からＸ線画像ピックアップ装置に投影される本発明の方法は、第２の画像化装置で同一の被検査対象物の三次元画像を形成し、三次元画像から被検査対象物の関連した構造を取得し、個々のＸ線画像の形成中に実際の構造の際と同じ幾何学的パラメータを用いて投影された上記構造の合成二次元投影画像を計算し、合成投影画像と同一幾何学的条件下で形成されたＸ線画像との重ね合わせにより重ね合わせ画像を形成し、重ね合わせ画像系列を表示する。【選択図】図１
2008119527.tif 000002
【特許請求の範囲】
【請求項１】
第１の画像化装置を用いて二次元Ｘ線画像の系列を形成してディジタル的に記憶し、検査対象を異なる観点からＸ線画像ピックアップ装置上に投影するＸ線画像化方法であって、
ａ）第２の画像化装置を用いて同一の検査対象の三次元画像を形成する段階と、
ｂ）上記三次元画像から検査対象の関連構造を得る段階と、
ｃ）上記得られた構造の合成二次元投影画像を計算する段階であって、上記構造は個々のＸ線画像の形成中に実際の構造に対し使用される幾何学的パラメータと同一の幾何学的パラメータで投影されるところの段階と、
ｄ）同一の幾何学的条件下で形成された上記合成投影画像と上記Ｘ線画像とを重ね合わせることにより、重ね合わせ画像を形成する段階と、
ｅ）二次元Ｘ線画像の系列で表示される検査対象の関連構造の位置の準三次元画像表現をユーザに与えるように、上記重ね合わせ画像の系列を表示する段階と、を有することを特徴とする方法。
【請求項２】
請求項１記載の方法であって、
上記第２の画像化装置としてＸ線コンピュータ断層撮影装置を使用し、上記Ｘ線コンピュータ断層撮影装置は、上記検査対象の三次元画像を形成すべくいくつかの平行スライスのコンピュータ断層写真を形成することを特徴とする方法。
【請求項３】
請求項１記載の方法であって、
立体画像ペアを形成するため２系列の画像を表示し、両系列は上記重ね合わせ画像の系列から取得され、相互に数枚の重ね合わせ画像分ずつオフセットされることを特徴とする方法。
【請求項４】
請求項１記載の方法であって、
患者の脈管系の画像化は、造影剤で満たした患者の脈管系を再生するＸ線画像の系列を形成するため、Ｘ線画像の形成前に、造影剤を注入することを特徴とする方法。
【請求項５】
請求項４記載の方法であって、
Ｘ線画像のさらに別の系列を上記Ｘ線画像の系列から僅かな時間を隔てて形成し、上記さらに別の系列は造影剤を用いることなく患者を再生するものであり、対応した上記２系列のＸ線画像を、差分画像を形成するため互いに減算し、上記差分画像及び上記合成投影画像を、重ね合わせ画像を形成するため重ね合わせることを特徴とする方法。
【請求項６】
請求項１記載の方法であって、
Ｘ線画像ピックアップ装置に起因した歪みを補正する第１の補正段階を更に有し、重ね合わせ段階の前に記憶された第１の補正パラメータの組を適用することを特徴とする方法。
【請求項７】
請求項１記載の方法であって、
Ｘ線画像ピックアップ装置に対するＸ線源の相対位置の変化に起因した画像変形を補正する第２の補正段階を更に有し、重ね合わせ段階の前に記憶された第２の補正パラメータの組を適用することを特徴とする方法。
【請求項８】
請求項１記載の方法を実施する装置であって、
Ｘ線源とＸ線画像ピックアップ装置とを備えた第１の画像化装置であって、上記Ｘ線源とＸ線画像ピックアップ装置は、二次元Ｘ線画像の系列を形成するため、検査対象に対し調整可能であり、前記検査対象は、異なる観点から上記Ｘ線画像ピックアップ装置上に投影される第１の画像化装置と、
Ｘ線画像を記憶する手段とプログラマブル画像処理手段と、を含み、
上記プログラマブル画像処理手段は次の画像処理演算：
ｂ）第２の画像化装置により形成された同一の検査対象の三次元画像から検査対象の関連構造を取得し、
ｃ）上記取得された構造の合成投影画像であって、上記構造は個々のＸ線画像の形成中に実際の構造のため使用された幾何学的パラメータと同一の幾何学的パラメータを用いて投影されるところの合成投影画像を計算し、
ｄ）同一の幾何学的条件下で形成された上記合成投影画像とＸ線画像とを重ね合わせることにより、重ね合わせ画像を形成し、
ｅ）上記重ね合わせ画像の系列を表示する、ようにプログラムされているところの装置。
【請求項９】
請求項８記載の装置であって、
Ｘ線源とＸ線画像ピックアップ装置とが取り付けられたＣ形アームを更に含み、上記Ｃ形アームは環状経路に沿って複数の照射位置に移動可能であることを特徴とする装置。
【発明の詳細な説明】
【技術分野】
【０００１】
本発明は、第１の画像化装置を用いて二次元Ｘ線画像の系列が形成され、ディジタル的に記憶され、被検査対象物（検査される対象物）が異なる見方からＸ線画像ピックアップ装置上に投影されるＸ線画像化方法に関する。本発明は上記方法を実施する装置にも係る。
【背景技術】
【０００２】
上記の種類の方法及び装置は、以下Ｄ１という名称で引用するコッペ(Koppe)  他による論文、「ＣＡＲ−９５  ベルリン」の予稿集、１９９５年、ページ１０１−１０７により公知である。この従来の方法は、好ましくは、予め造影剤が注入された脈管系の画像化のため使用される。脈管系の三次元画像化は、例えば、磁気共鳴又はコンピュータ断層撮影画像を用いることにより原理的に実施可能である。しかし、たとえこのような画像が使用されても、脈管系を種々の医用検査で要求される高い空間解像度で再生することは不可能である。
【０００３】
これに対し、上記のＸ線画像化方法によれば、Ｘ線画像が間断なく再生されたとき、高い空間解像度が得られ、準三次元空間表現が得られる。しかし、Ｘ線画像は脈管系だけを表示し、近傍の組織が再生されないという欠点がある。定位検査の場合、検査に関連した構造、例えば、腫瘍の脈管系に対する相対位置を決定し得ることが必要である。
【０００４】
このため、ケリー(Kelly)他による別の文献（Ｄ２）、“神経外科学”、第１４巻、第２号、１９８４年に、一方でＸ線血管造影装置を用いて正面及び側面から脈管系を表わす立体画像ペアを形成し、他方でコンピュータ断層撮影を用いて、被検査対象物の同一領域の三次元画像を形成することが提案されている。一方で二次元Ｘ線画像内の所見と、他方で三次元コンピュータ断層撮影画像内の所見とを関連付けるため、基準フレームが場合によっては基準マークと組み合わされて使用される。基準フレーム又は基準マークは、検査される解剖学的構造の正確な位置が基準フレーム又は基準マークに対し決定され、かつ、種々の画像からの所見が相互に関連付けられるように、Ｘ線画像又はコンピュータ断層撮影画像中に再生される。
【０００５】
従来の方法によれば、検査者は生検が行われる三次元コンピュータ断層撮影画像内の点を定義し、コンピュータは、生検の点が定位フレームの焦点に移動され得るように、その点に基づいて定位フレームの機械的設定値を計算する。生検針が介入される水平及び垂直の角度は、生検針の経路の近くにある血管の点がディジタル化され、そこから適当な角度を計算するコンピュータに入力されることにより、血管造影Ｘ線画像に基づいて決められる。
【発明の開示】
【発明が解決しようとする課題】
【０００６】
上記の処理の欠点は、検査者がコンピュータで行なわれた計算に依存する必要があり、脈管系に対する生検経路の位置の直接的な三次元画像が与えられないことである。
本発明の目的は、Ｘ線画像により再生された解剖学的構造（例えば、脈管系）に対する診断に関連した構造、例えば、腫瘍の位置の改良された準三次元表現がユーザに与えられる上記の種類の方法を提供することである。例えば、生検の場合に、検査者自身は、最適な生検経路を決定し、又は、自動的に定義された生検経路を評価し得る方法が求められる。
【課題を解決するための手段】
【０００７】
上記の目的を達成する本発明の方法は、
ａ）同一の被検査対象物の三次元画像を第２の画像化装置を用いて形成する段階と、
ｂ）被検査対象物の関連した構造を三次元画像から得る段階と、
ｃ）個々のＸ線画像の形成中に実際の構造のため使用された幾何学的パラメータと同一の幾何学的パラメータで投影された上記得られた構造の合成二次元投影画像を計算する段階と、
ｄ）上記の合成投影画像と、同一の幾何学的条件下で形成されたＸ線画像とを重ね合わせることにより、重ね合わせ画像を形成する段階と、
ｅ）二次元Ｘ線画像の系列で表示される検査対象の関連構造の位置の準三次元画像表現をユーザに与えるように、重ね合わせ画像の系列を表示する段階とからなる。
【０００８】
従って、本発明によれば、合成二次元投影画像が各Ｘ線画像に対し計算され、その投影画像は、（コンピュータ断層撮影装置でもよい）第２の画像装置の三次元画像から得られた構造、即ち、例えば、脈管系のような上記構造をＸ線画像の形成中に投影する際に用いられた幾何学的パラメータと同一の幾何学的パラメータを用いて得られた構造を表わす。上記の構造は、低コントラストのためＸ線画像中では見えないが、上記の構造を計算された合成投影画像に再生するため用いられる対照は随意的に予め決められる（色の再生も実現可能である）。対応したＸ線画像及び合成投影画像は重ね合わせ画像を形成するため結合され、重ね合わせ画像は画像の系列として連続的に表示される。かくして、検査者が、Ｘ線画像中に再生された解剖学的構造、例えば、脈管系に対する上記得られた構造の相対位置を見分けることができる検査ゾーンの準三次元表現が得られる。
【０００９】
本発明の好ましいバージョンは、第２の画像化装置として、被検査対象物の三次元画像を形成するため多数の平行スライスのコンピュータ断層写真を形成するＸ線コンピュータ断層撮影装置を利用する。しかし、原理的に、三次元画像の形成のため異なる様式、例えば、磁気共鳴装置又は超音波装置を使用することが可能である。
【００１０】
本発明の他のバージョンにおいて、立体画像ペアを形成するため、重ね合わせ画像の系列から得られ、互いに数枚の重ね合わせ画像ずつオフセットしている２系列の画像が表示される。画像の系列が適切に表示されたならば、たとえ、単一の画像系列しか存在しない場合であっても、個々の各重ね合わせ画像に対する立体的な画像表現がユーザに与えられる。合わせて立体画像ペアを構成する２枚の重ね合わせ画像が系列から適切に（例えば、互いに６°ずつオフセットした見え方から対象物を再生するような方法で）選択されたならば、画像ペアが抽出された二つの画像系列が互いに無関係ではなく、同じ重ね合わせ画像の系列から得られた場合でも、立体的な表現が作成される。しかし、原理的に、異なる投影幾何で検査ゾーンを再生する二つの別個の系列を形成することが可能である。
【００１１】
患者の脈管系を画像化する本発明の好ましい他のバージョンは、造影剤で充填された患者の脈管系を再生するＸ線画像の系列を形成するため、Ｘ線画像の形成前に、造影剤の注射薬の注入を含む。これにより、脈管系の画像化が可能になる。かかる脈管系の画像化は、一方のＸ線画像の系列から時間的に僅かな間隔で造影剤を用いない患者を再生する更なるＸ線画像の系列を形成することにより改良され、対応した二つの系列のＸ線画像は差分画像を形成するため互いに減算され、差分画像及び合成投影画像は重ね合わせ画像を形成するため重ね合わされる。
【００１２】
定量的測定のため重ね合わせ画像が満たすべき重要な条件は、上記画像が２台の画像化装置により供給された解剖学的構造を正確に再生することである。しかし、第１の画像化装置のＸ線画像ピックアップ装置がＸ線画像増倍器であるならば、Ｘ線画像の歪みは、Ｘ線画像増倍器の入口スクリーンの通例の曲率、及び、地磁気に起因して生じる可能性がある。本発明の一つのバージョンにおいて、上記の歪みは、Ｘ線画像ピックアップ装置に起因した歪みの補正用の第１の補正ステップにより除去され、この補正ステップは重ね合わせステップの前に第１の記憶された補正パラメータの組を適用する。
【００１３】
Ｘ線源及びＸ線画像ピックアップ装置がＣ形アームに取付けられたＸ線画像化システムにおいて、Ｘ線画像は、Ｃ形アームが剛体ではなく、重力及び遠心力の影響、或いは、場合によっては機械的発振により歪むという事実による影響を受ける。従って、Ｘ線画像は、（全ての見え方において、Ｘ線源のＸ線画像ピックアップ装置に対する相対位置は同一である）理想的な場合に対し、平行移動又は回転が加えられる。これは、重ね合わせ画像の精度に影響を与える。上記の悪影響は、Ｘ線画像ピックアップ装置に対するＸ線源の相対位置の変化に起因した画像変形（画像移動及び画像回転）の補正用の第２の補正段階により除去され、この第２の補正段階は、重ね合わせ段階の前に第２の記憶された補正パラメータの組を適用する。
【００１４】
本発明による上記方法を実施する装置は、被検査対象物が異なる見方からＸ線画像ピックアップ装置上に投影された二次元Ｘ線画像の系列を形成するため、被検査対象物に対し調整可能なＸ線源及びＸ線画像ピックアップ装置を備えた第１の画像化装置と、Ｘ線画像を記憶する手段と、ｂ）被検査対象物の関連した構造を、第２の画像化装置により形成された同一の被検査対象物の三次元画像から取得し、ｃ）個々のＸ線画像の形成中に実際の構造のため使用された幾何学的パラメータと同一の幾何学的パラメータで投影された上記の取得された構造の合成投影画像を計算し、ｄ）合成投影画像と、同一の幾何学的条件下で形成されたＸ線画像とを重ね合わせることにより重ね合わせ画像を形成し、ｅ）重ね合わせ画像の系列を表示する処理演算が行われるようにプログラムされたプログラマブル画像処理手段とを含む。
【発明の実施するための最良の形態】
【００１５】
以下、添付図面を参照して本発明を詳細に説明する。図１には第１の画像化装置１（同図の（Ａ））及び第２の画像化装置２（同図の（Ｂ））が示されている。第１の画像化装置と第２の画像化装置の画像、又は、上記の画像から得られたデータを相互に関連付けるため、両方の装置の画像中に画像化される既知の基準フレーム５（図１の（Ｃ））が、場合によっては球面基準マークと組み合わせて使用される。しかし、上記画像は、適当な画像処理方法を用いて検出されたならば、原理的に、特徴的な解剖学的構造に基づいて相互に関連付けることが可能である。
【００１６】
第１の画像化装置は、台４の上に載せられた被検査対象物３、例えば、患者の二次元Ｘ線画像を形成するため役立つ。第２の画像化装置は、三次元画像を形成するため役立つ。「三次元画像」は、被検査対象物３の三次元ゾーン内の吸収率分布を表わし、被検査対象物の隣接した状態にある平行スライスの多数の二次元コンピュータ断層写真ＣＴ1，ＣＴ2．．．ＣＴmから得られたデータ集合を意味することを理解する必要がある。
【００１７】
第１の画像化装置１は、一部分だけが示されたスタンド１１に取付けられた環状Ｃ形アーム１０を含む。Ｃ形アームは、水平軸に関して旋回可能であり、かつ、モータ駆動装置（図示しない）を用いてその軸の中心に関して矢印２０の向きに、例えば１８０°に亘って回転させ得る。Ｃ形アーム１０は、相互に関係して並べられたＸ線源１２及びＸ線画像ピックアップ装置１３を収容する。像形成システム１２，１３の（幾つかの角度位置が破線で示された）異なる（再生可能）角度位置から被検査立体を画像化する複数のＸ線画像、例えば１００枚の画像が形成される。
【００１８】
Ｘ線画像ピックアップ装置１３は、出力信号がアナログ−ディジタル変換器１４によりディジタル化され、全Ｘ線画像系列が検査の最後に記憶されているように、メモリ１５に記憶されるテレビジョン回路が接続されたＸ線画像増倍器でもよい。上記のＸ線画像は画像処理ユニット１６により処理してもよい。形成された画像（．．．Ｄi-1，Ｄi，Ｄi+1，Ｄi+2．．．）は、個別に又は画像の系列としてモニタ１８上に表示される。画像化装置１の種々の構成要素は制御ユニット１７を用いて制御される。
【００１９】
図２は、二つの画像化装置のためのステップの系列を表わす図である。第１の画像化装置の初期化（ステップ１００）及び造影剤の注入後、被検査対象物と、被検査対象物中の造影剤が充填された血管とを再生するｎ枚（例えば、ｎ＝１００）のＸ線画像の系列が形成される（ステップ１０１）。その前又は後に、（造影剤が注入される前、或いは、造影剤が画像中で見えなくなるまで拡散された後であるため）Ｘ線画像Ｃと同じ見方で同一の対象物を再生し、脈管系を示さない更なるＸ線画像の系列Ｍが形成される。
【００２０】
次に、画像Ｍが同じ角度位置に形成された対応する対照画像から減算され、他の解剖学的構造は減算によって除去されるので、種々の角度位置に対し脈管系だけを再生する差分画像Ｄ1．．．Ｄi．．．Ｄnの系列が形成される（ステップ１０２）。しかし、差分画像の代わりに、造影剤を用いることなく形成された画像の減算を行うことなく造影剤画像だけを使用してもよい。その場合、より多くの造影剤を注入する必要があるが、依然として骨構造を見分けることが可能である。
【００２１】
Ｘ線画像の形成の前又は後に、コンピュータ断層写真ＣＴ1．．．ＣＴmが患者の同じ解剖学的領域から作成され、この系列は検査ゾーンの隣接した平行平面内の吸収率分布を表わし、三次元「画像」、即ち、三次元ゾーン内の吸収率分布を表わすデータ集合を生じる（ステップ２０１）。種々の画像化装置１及び２から得られた画像を相互に関連付けるため、検査される領域、例えば、患者の頭骨に対し固定され、Ｘ線画像又はコンピュータ断層写真中に画像化された基準フレームが、場合によっては基準マークと共に使用される。基準フレーム及び基準マークは、自動画像処理方法を用いてＸ線画像又はコンピュータ断層写真内で検出され、一方の様式からの画像データを他方の様式からの画像データに関連付けるため、座標系として使用される。この点につき、上記の引用文献Ｄ２に詳細に記載されている。
【００２２】
次のステップ２０２において、診断的に関係した構造、例えば、腫瘍又は脳内の所定の領域（空洞室）がコンピュータ断層写真から抽出される。この操作はユーザにより対話的に行われるが、ステップ２０２において上記構造をセグメンテーションにより抽出する自動画像処理方法を実施してもよい。かくして、構造の形状及び寸法だけではなく、基準ウィンドウ又は基準マークに付随した座標系と関係した位置が分かる。最も簡単な場合に、上記構造から幾何学的属性だけ、例えば、中心（重心）、或いは、上記構造の境界を定める線又は簡単な幾何学的物体を抽出すれば十分である。
【００２３】
上記構造をＸ線画像に関連付ける前に、屡々、Ｘ線照射中に実際の状況を考慮するため、Ｘ線画像を補正又は較正することが必要である。例えば、幾何学的歪みは、Ｘ線画像ピックアップ装置が、湾曲した入口スクリーンを有し、出口スクリーン画像が地磁気による影響を受ける可能性のあるＸ線画像増倍器を含む場合に生じる。かかる歪みを除去するため、ステップ１０３において、差分画像Ｄ1．．．Ｄnは、先行の較正演算によりパラメータが決定され、記憶された幾何学的変形を受け、その間に、好ましくは、規則的なグリッドがビーム経路に配置され、Ｘ線画像中のその再生が評価される。この点につき、上記の引用文献Ｄ１に詳細に記載されている。Ｘ線画像ピックアップ装置がかかる幾何学的歪みを生じさせないならば、このステップは省いてもよい。
【００２４】
本発明による方法の精度に影響を与え得る他の要因は、Ｃ形アームが全く剛体ではないという事実に起因する。Ｃ形アームは、重力及び遠心力の影響下で歪むので、Ｘ線源と画像増倍器との間の距離はＣ形アームの空間内の位置に依存して変化する。この歪みは、Ｘ線画像に関係した座標系が関連付けられた（Ｘ線源を画像ピックアップ装置の中心に接続する中心線上にある）等角点を一方のＸ線画像から他方のＸ線画像まで移動及び回転させる。これにより生じたＸ線画像の変化は、通常、Ｘ線画像が個別に観察される限り、妨害的な影響は無い。しかし、異なるＸ線画像の画像データが相互に、或いは、コンピュータ断層撮影画像の画像データに関連付けられるならば、実現される精度は悪くなる。
【００２５】
ステップ１０４において行われる上記影響の補正は、図１の装置１０、１１、１２、１３が、矢印２０の両方向の回転の間に再現的に歪むという事実に基づいている。歪みは先行の較正方法の間に較正部材を用いて判定され、個々の各角度位置に対しその歪みから得られる補正パラメータは、上記角度位置に形成されたＸ線画像の補正のため使用される。この較正及び補正方法は、引用文献Ｄ１に詳細に記載されている。Ｃ形アームが非常に剛性的であり、歪みがＸ線画像に影響を与えることがないならば、較正及び補正方法を省いても構わない。
【００２６】
次のステップ１０５において、抽出された構造の投影画像が、各差分画像Ｄ1．．．Ｄi．．．Ｄnに対し１枚ずつ形成される。単一の投影画像に対する上記演算を表わす図３には、Ｘ線源１２に対応した投影中心１２０と、投影中心から放出した投影光線１２１と、抽出された構造１２２とが示されている。位置がＸ線画像ピックアップ装置１３に対応した投影画像は、参照符号Ｐiで示される。かかる投影画像は、投影画像Ｐiの画素に到達する投影光線１２１上に抽出された構造の中の少なくとも１個の体素が存在するかどうかが判定されるように計算される。そのような体素が存在する場合、適当な画像値がその画素に割り当てられ、存在しない場合、画像値０がその画素に割り当てられる。この過程は全画素に対し繰り返されるので、構造の投影１２４を表わす投影点Ｐiが得られる。この演算は、Ｘ線画像又はＸ線画像から得られた差分画像が形成された装置１２、１３の全ての角度位置に対し繰り返し行われる。
【００２７】
各投影画像Ｐiがこのようにして形成された場合に、関連したＸ線画像又は差分画像Ｄiが在り、抽出された構造１２２に対する投影中心１２０及び投影画像Ｐiの位置が、関連したＸ線画像の形成中に実際の構造に対するＸ線源又はＸ線画像ピックアップ装置の位置により判定される。  
かくして形成された合成投影画像は、任意、選択性、色のついた対照を用いて、抽出された構造を表わし得る。従って、投影段階１０５の間に、合成投影画像が各Ｘ線画像に対し形成され、投影画像に投影された構造は、実際の画像を差分画像Ｄ1．．．Ｄi．．．Ｄn内に再生可能であるならば、実際の構造が（場合によっては補正された）差分画像内に有する形状及び位置と同一の形状及び位置を有する。
【００２８】
次のステップ１０６の間に、本質的に脈管系を表わす差分画像Ｄ1．．．Ｄi．．．Ｄnと、コンピュータ断層写真から得られた構造を表わす合成投影画像Ｐ1．．．Ｐi．．．Ｐnとが重ね合わされ、幾何学的に補正された関係にある二つの解剖学的構造を再生する重ね合わせ画像の系列Ｕ1．．．Ｕi．．．Ｕn（図４）が得られる。この画像系列は、次のステップ１０７の間にモニタ上に表示可能であるので、実質的に処理の計画、例えば、生検針を構造に導入するための経路のプリセット、又は、予め計算された生検経路の評価を容易に実現する準三次元画像表現が得られる。生検経路は三次元カーソルを用いて対話的に決められる。異なる投影角度を有する２枚の重ね合わせ画像が表示されるステップ１０８において、距離測定が静止画像表示を用いて実施可能である。体積測定も同様に実施可能である。次に、上記の方法の実行は終了する。
【００２９】
上記の如く、最初に、合成投影画像が計算され（ステップ１０５）、記憶され、次に、個々の重ね合わせ画像が形成される。しかし、Ｘ線画像（又はＸ線画像から得られた差分画像）が比較的間断なく再生されるとしても、Ｘ線画像又は差分画像の表示中に予め関連した合成投影画像を計算し、その差分画像と、モニタ１８上で計算された直後の投影画像とを重ね合わせてもよい。
【００３０】
立体画像が通例的な手段を用いた観察の間に同時に再生される立体的な観察を実施してもよい。この目的のために別個のＸ線画像を形成する必要はない。約６°ずつ異なる２箇所の角度的位置から検査ゾーンを再生する２枚の重ね合わせ画像、例えば、重ね合わせ画像Ｕi-1及びＵi+1、又は、画像Ｕi及びＵi+2（図４）を表示するだけで十分である。かかる立体的な再生により、生検経路の計画だけではなく、重ね合わせ画像中の立体的な測定を容易に行えるようになる。
【図面の簡単な説明】
【００３１】
【図１】本発明を実施するため好適である装置を概略的に表わす図である。
【図２】画像処理演算の実行を説明するフローチャートである。
【図３】投影画像の計算の基礎となる幾何学的関係を表わす図である。
【図４】重ね合わせ画像の系列を表わす図である。
【符号の説明】
【００３２】
１    第１の画像化装置
２    第２の画像化装置
３    対象物
４    台
５    基準フレーム
１０    Ｃ形アーム
１１    スタンド
１２    Ｘ線源
１３    Ｘ線画像ピックアップ装置
１４    アナログ−ディジタル変換器
１５    メモリ
１６    画像処理ユニット
１７    制御ユニット
１８    モニタ
２０    Ｃ形アームの回転方向
１２０    投影中心
１２１    投影光線
１２２    抽出された構造
１２４    構造の投影
【図１】
2008119527.tif 000003
【図２】
2008119527.tif 000004
【図３】
2008119527.tif 000005
【図４】
2008119527.tif 000006